(57)【特許請求の範囲】
【請求項１】
既設柱の外周面と所定の距離を保ってスラブと既設柱に取り付く梁との間に上部荷重支持支柱を配置する段階と、既設柱の免震装置を取り付ける切断位置を除いた上部荷重支持支柱の少なくとも上方を囲んで増打コンクリートを打設する段階と、免震装置の取付位置に該当する既設柱を切断する段階と、該既設柱の切断個所に免震装置を挿入し、該免震装置を切断された既存柱のに固定する段階と、上記上部荷重支持支柱の増打コンクリートからの露出部を切断して上部荷重を免震装置に移行する段階から構成される既存建物の免震化工法。
【発明の詳細な説明】
【０００１】
【発明の属する技術分野】
本発明は、既存建物の免震化工法に関し、特に、切断した既設柱の間に免震装置を安全確実に設置する既存建物の免震化工法に関する。
【０００２】
【従来の技術】
近年、既存建物に対する耐震補強対策が積極的に適用されており、このために既存建物の免震構造化技術の提案が数多くなされている。
すでに提案されている既存建物の免震構造化技術は、大きく分けると、ジャッキを用いて既存建物をジャッキアップしながら上部構造体と切断した基礎部に免震装置を挿入、設置し、ジャッキダウンさせることで免震構造化する方式と、ジャッキを用いずに既設柱の周囲に補強用の支持体を介在させることで上部構造体を支持しながら基礎部に免震装置を挿入、設置し、その後に、補強用の支持体を切断除去することで免震構造化する方式に分類することが出来る。
【０００３】
上記ジャッキ方式は、特開平２―２０７６７号公報に記述されているように、最初に、既存建物の支持杭を掘り出し、その周囲に仮受けサポートを建て込んで、この仮受けサポートの上部にジャッキを設置し、仮受けサポート上のジャッキをジャッキアップすることで支持杭の軸力を仮受けサポートに盛り替えている。
【０００４】
軸力を盛り替えた後の作業は、軸力が開放された支持杭を解体して、支持杭に変わる鉄骨柱を建てることで鉄骨柱と既存建物との間に免震装置を設置し、その後にジャッキダウンすることで仮受けサポートの軸力を鉄骨柱に盛り替えして、既存建物を免震構造化する工程が代表的である。
しかし、この方式では建物を支持する杭に免震装置を設置するために、杭が露出するまで地盤を掘削することが必須になっており、山止め壁の構築や排水処理の処置のように大掛かりな困難な作業を必要とし、特に、柱が負担する軸力が過大な場合には基礎梁の補強さえも必要になる等の下準備に膨大な手間と長期の工期を要する問題点を抱えている。
【０００５】
又、既存建物の柱を切断して免震構造化を図ろうとする方式も提案されている。しかしながら、いずれの方式も上部構造体の荷重を一時的に支持する必要があることから、スラブの上にジャッキを設定して、この上に支持支柱を配置することになり、支持支柱は座屈を避けながら上部構造体の荷重を軸力として受けなければならない。このために、相応の強度を持った嵩張った構造にならざるを得なくなっている。さらに、この支持支柱は建物の免震化の後は不要であり、かえって邪魔になることから切除することが必要になって、除去費用を要することになる。
【０００６】
一方、ジャッキを用いない例としては、特開平９―１００６３４号公報に示されている方式がある。
この方式では、既存柱５１の表面仕上げを撤去し、既存柱５１の切断する部分を除く上下部分に耐力に応じた埋め込みアンカージベル５２、５３を取り付けて置き、その外周にスタッドジベル５４やグラウト仕切り板５５を付設した柱巻き補強鋼板５６を溶接付けで包み込んでいる(図１１参照)。次いで、上下のスタットジベル５４を配した部分にグラウトモルタルを注入硬化させ、既設柱５１の中間部５７をダイヤモンドチェーンカッターで切断して免震装置の設置部分を除去し(図１２参照)、免震装置５８を組み込んで既設柱５１に挿入してから免震装置５８の上下部分にグラウトモルタル注入のために開口部分を押え板５９で塞いでいる(図１３参照)。しかる後に、免震装置の上下部分にグラウトモルタルを注入し、硬化を待ってから柱巻き鋼板５６をＣＵＴ線に沿って切断して免震装置付き既設柱６０を完成している(図1４参照)。
【０００７】
しかし、この方式では、柱巻き鋼板に施工時には支柱と型枠との機能を求めており、免震構造化の後には、コンクリート構造の主筋やせん断補強筋の役目を負担させているために、以下のような問題点を抱えている。
▲１▼  上部構造を支えるために鋼鈑は厚いものに成り、重量が嵩んで運搬及び組み立てに人手だけでは処理できない困難さがある。
▲２▼  鋼鈑の柱切断位置や増打コンクリートの打設開口を、予め切欠いて置く必要があるために、特殊な鋼鈑になってコスト上昇を招くことになる。
▲３▼  鋼鈑と既存柱間の狭隘部に増打コンクリートを受けるために、せき板を設けなければならない。
▲４▼  独立柱の場合には、容易に柱巻き鋼板をセットできるが、角柱や外壁等の壁に連なる柱の場合には柱巻き鋼板の取り付けが困難である。
▲５▼  柱巻き鋼板の合わせ目を溶接しなければならない。
▲６▼  免震装置取り付け後に、余分な鋼鈑は切除するために費用を要することになる。
▲７▼  露出している柱巻き鋼板は、防火上表面に耐火被覆を施す必要がある。
【０００８】
【発明が解決しようとする課題】
本発明は、以上の状況に鑑みてその改善を図っているものであり、上部荷重を支持するためにスラブと既設柱に取り付く梁との間に配置する支柱を、軸径の小さいものにしても座屈を起さずに施工を遂行できると共に、免震構造化後にも耐火被覆の必要性や除去する切除量が少ない既存建物の免震化工法を提供している。
【０００９】
【課題を解決するための手段】
本発明による既存建物の免震化工法は、既設柱の外周面と所定の距離を保ってスラブと既設柱に取り付く梁との間に上部荷重支持支柱を配置する段階と、既設柱の免震装置を取り付ける切断位置を除いた上部荷重支持支柱の少なくとも上方を囲んで増打コンクリートを打設する段階と、免震装置の取付位置に該当する既設柱を切断する段階と、既設柱の切断個所に免震装置を挿入し、免震装置を切断された既存柱に固定する段階と、上記上部荷重支持支柱の増打コンクリートからの露出部を切断して上部荷重を免震装置に移行する段階から構成している。
これによって、上部荷重支持支柱は、増打コンクリートのせん断補強筋で一体に補強してから上部荷重を受けられることから、その軸径を小さく抑えても座屈を防止できることになり、施工時の取り扱いが容易になる。又、免震構造化を完成した後においても上部荷重支持支柱の切断個所を小さくできると共に耐火処置を不要にしている。
【００１０】
【発明の実施の形態】
本発明による既存建物の免震化工法は、既設柱の外周面と所定の距離を保って、スラブと既設柱に取り付く梁との間に上部荷重支持支柱を配置し、既設柱の免震装置を取り付ける切断位置を除いた上部荷重支持支柱の上方もしくは上方と下方を囲んで増打コンクリートを打設してから、免震装置の取付位置に該当する既設柱を切断している。次いで、既設柱の切断個所に免震装置を挿入して免震装置を切断された既存柱に固定しており、上記上部荷重支持支柱が増打コンクリートの間に残って露出されている部分を切断して上部荷重を免震装置に移行させる工程から構成されている。
以下に、本発明の実施の形態を図面に基づいて説明する。
【００１１】
図１乃至７は、本発明による既存建物の免震化工法の施工手順を示している。
図1では、施工の準備を行っており、既設柱１の全長にわたり、仕上げをモルタルと共に撤去し、表面の目荒らしを行っている。尚、建物の外周部に位置する既存柱については、柱外面より１ｍの範囲の壁をはつり取るようにしている。
次いで、柱を切断する際にダイヤモンドワイヤソーの回転スペースを確保する目的で、既存柱１のコア抜き２を行うが、後述の作業では、既存柱の切断部を撤去・搬出する際に切断片を分割して軽量化すると作業性が向上することから、柱を水平方向に２ヶ所で切断するだけでなく、この水平切断面の間で鉛直方向にも２ヶ所切断するようにしている。
【００１２】
コア抜きは、あらかじめ、２ヶ所×２段の計４ヶ所で行っているが、免震装置を既設柱１の中間部に設置するために、図１（ａ）に示すようにスラブ上に既設柱１‘を残して置く場合と、図１（ｂ）に示すように免震装置をスラブと既設柱１の下端部との間に設置するために、スラブ上には既設柱１’を残さない場合があり、それぞれのケースに合わせて図示のようにコア抜きの位置を変えることになる。
尚、この際に柱・梁接合部にもフープ筋用のコア抜き３を行っておくことは、増打コンクリートの作業性を向上させることになる。
【００１３】
図２では、スラブと既設柱に取り付く梁との間に上部荷重支持支柱を配置する工程を示している。
以下の工程は、免震装置を既設柱の中間部に設置するものとして説明するものであり、図示のように、既存柱の外周面から所定の間隔を確保して、スラブ４と既設柱に取り付く梁８との間に、内部にコンクリートを充填した角形鋼管から成る上部荷重支持支柱６を配置するために、スラブ４上に調整用のフラットジャッキ５を配置している。
このフラットジャッキ５は地中梁の上部に位置するように留意し、上部荷重を支持するために手押し水圧ポンプ等を利用して上部荷重支持支柱６を押し上げて固定する。上部荷重支持支柱６の本数は、当該柱に取り付く梁の本数と同数とし、上部荷重支持支柱６の天端にはプレート７を取り付けておき、上階の梁下端に密着させるが、密着しない場合は、必要に応じて無収縮モルタルの注入、キャンバー設置を行って、梁８の下端と上部荷重支持支柱６を密着させるようにしている。
そして、免震装置をスラブと既設柱１の下端部との間に設置する場合には、上記上部荷重支持支柱６の下端部分が、切除して撤去されるまでフラットジャッキ５と共に露出された状態に置かれるものであり、免震装置を設置した後にフラットジャッキを降下させて、上部荷重支持支柱６を開放状態にするものであるから、ジャッキダウン可能な状態に維持しておく必要がある。
【００１４】
さらに、上記実施の形態では上部荷重支持支柱６の下部にフラットジャッキ等を介在させているが、これらのジャッキアップは必須のものでなく、スラブ４の上に上部荷重支持支柱６を直接配置し、その下端に無収縮モルタルを注入することで、スラブ４と上部荷重支持支柱６の下端を密着させるようにしても所望の機能を発揮させることができる。
即ち、スラブと上階の梁下端との間に上部荷重支持支柱６を無収縮モルタル等によって固定すると、上述したダイヤモンドワイヤソーの回転スペースを確保するために施工してある既存柱のコア抜きによって、既存柱から上部荷重支持支柱への軸力の盛り替えは、既存柱の切断に従って上下スラブ間での小さな移動の範囲で支障なく施工できるものである。
【００１５】
図３では、増打コンクリートの配筋（ａ）と、型枠建て込み及び増打コンクリートの打設（ｂ）を行う工程を示している。
増打部の縦筋は、曲げ補強筋として、免震装置を設置する階のスラブ４と上側の既設スラブ９と梁１０内に樹脂アンカー１１で定着する。増打部のフープ筋１２は、後の工程で免震装置を設置するために撤去する部分を除いて、高強度スパイラルフープ筋を４本の上部荷重支持支柱６が４隅に位置するように巻き立て配筋する。柱・梁接合部は梁を貫通して割フープ１３を配筋後、溶接して一体化する。
【００１６】
次いで、既設柱１の上下における増打部分について、型枠１４、１５を建て込み、免震装置上部架台配筋用のアンカー１６を所定の位置にセットしてから増打コンクリート１８、１８’の打設を行っている。
これによって、上部荷重支持支柱６は、免震装置を設置するために撤去する部分を除いて増打コンクリート１８、１８’内にフラットジャッキを含めて埋め込まれた状態で設定され、増打コンクリート１８、１８’が所定の強度を発現するまで養生されると、増打コンクリートの縦主筋と同様にフープ筋１２で補強された強固な状態を保持することになる。
尚、アンカー１６は、既存柱の切断がし易いように機械式継手方式にしており、既設柱の上方の増打部分に対するコンクリートは圧入工法によって打設し、上階のスラブ下まで確実に充填させている。
【００１７】
又、本実施の形態では、免震装置を既設柱１の中間部に設置するように既設柱１の下方部分を切断してスラブ上に既設柱１’を残しているが、上述のように免震装置をスラブ上に直接設置する場合には、上部荷重支持支柱６の下部に対する増打部のフープ筋１２の配筋、型枠１５の建て込み及びコンクリート１８’の増打が省略されて、フラットジャッキ等を介在させた上部荷重支持支柱６の下部は露出されたままの状態になる。
【００１８】
図４では、免震装置を設置するために、切り取り位置にある既存柱の１部を撤去する工程を示している。
上述のように、既設柱１の下方の中間部分を切断してスラブ上に既設柱１’を残している場合には、上部荷重支持支柱６の下部に対する増打部のフープ筋１２の配筋、型枠１５の建て込み及びコンクリート１８’の増打が施工されるので、上部荷重支持支柱６はフラットジャッキによって押し上げられるかスラブ４と梁８とに密着した状態で増打コンクリートに保持されている。従って、既存柱１が負担していた長期軸力の１部は上部荷重支持支柱６によって部分的に分担されている状態を形成している。
そこで、既存柱１の切り取り位置にダイヤモンドワイヤソーをセットし、柱を鉛直・水平の順で切断し、分割して軽量化した切断片を撤去する。既存柱の切断で、既存柱１が負担していた長期軸力は上部荷重支持支柱６に盛り替えられて、上部荷重の全てを上部荷重支持支柱６が支持する状態になる。
【００１９】
一方、免震装置をスラブ４上に直接配置する場合には、コンクリート１８’の増打が省略されて、フラットジャッキ等を介在させた上部荷重支持支柱６の下部は露出されたままの状態にある。そこで、本実施の形態の場合には、フラットジャッキを再度ジャッキアップして上部荷重支持支柱６を上方向に押し上げることも可能になるので、必要に応じて既設柱１が負担している上部荷重を軽減することもできる。従って、ダイヤモンドワイヤソーによる既存柱１の切り取りを押圧力が除去された状態で行えることから、既存柱の切断と分割撤去は極めて円滑に施工することが可能になる。
【００２０】
以上のように、既存柱の切断と撤去は上述したいずれかの方法で施工されることになるが、いずれの場合でも、本発明では上部荷重支持支柱６の大部分が増打コンクリート１８もしくは１８’の中に補強された状態で保持されており、単独で露出している部分は、免震装置を設置するための切断面の間隙に残された狭い部分のみであるから、軸径の小さい上部荷重支持支柱６に対して上部荷重の盛り替えが行われても、これによって上部荷重支持支柱６の座屈は殆ど発生することがない。
【００２１】
図５では免震装置の架台の配筋（ａ）と、型枠建て込み及び増打コンクリートの打設（ｂ）を行う工程を示している。
免震装置の架台２０は、鉄筋コンクリートで増打コンクリート１８’で強化された既存柱１’の切断面もしくはスラブ４の上に構築されるが、必要に応じて架台の鉄筋を、増打コンクリートで強化された下方の既存柱１’もしくはスラブ４や地中梁内に樹脂アンカーで定着したうえで、  図５（ａ）に示すようにかご型に配筋２１を行っている。次いで、免震装置設置用の下部べースプレート１７を所定のレベルにセットし溶接で仮止めしてから、図５（ｂ）に示すように架台の型枠２２を建て込んで架台２０を形成するためのコンクリート２３を打設している。
この際には、下部ベースプレート１７の下部に空隙が生じないように圧入工法で確実に充填して、コンクリートが所定の強度を発現するまで養生する。
【００２２】
図６では、免震装置を下部ベースプレートにセットして、増打コンクリートで強化された上方の既存柱に免震装置を結合する工程を示している。
この工程では、上部ベースプレート２４を取り付けた免震装置２５を下方の既存柱１’に構築された下部ベースプレート１７にセットする。そして、免震装置上部架台２６の鉄筋をコンクリート増打部１８に機械的に定着してかご型に配筋２７する。次いで、免震装置２５の上部ベースプレート２４をコンクリート増打部１８と補強された既存柱1等に結合する。この結合に際しては、上部ベースプレート２４と既存柱１の切断面等との間に無収縮モルタル２８を充填して一体化を強化しており、無収縮モルタルが所定の強度を発現するまで養生する。
【００２３】
図７、８では、免震装置を増打コンクリートで強化された上下の既存柱に結合して、上部荷重の全てを免震装置に盛り替えた状態を示している。
図７は、既設柱１の中間部に免震装置を設置する実施の形態を示している。
本実施の形態では、図７（ａ）に見られるように、免震装置２５の設置が完了すると、4本の上部荷重支持支柱６を切断して撤去して、上部荷重の全てを免震装置２５に移行させている。上部荷重支持支柱６の切断は通常の手法で施工され、上部荷重支持支柱６の切断と撤去によって、上部荷重支持支柱６から既存柱への軸力の盛り替えは支障なく実施されている。
【００２４】
図７（ｂ）は、図７（ａ）の（Ａ）―（Ａ）矢視による平断面図であり、スラブ上に免震装置２５を配置した増打コンクリート１８’のみが配置されている。
従って、増打コンクリート１８、１８’の外部には鋼管や鉄筋の露出部分がないことから、耐火処理は免震装置のみに耐火被覆材を取り付けるだけの施工で充分になっており、コスト低減と施工効率の向上を達成している。
【００２５】
又、本実施の形態では、上記の切断作業を容易にするために、ジャッキ等を既設柱の増打コンクリート１８と下方部の増打コンクリート１８’との間に一時的に嵌合させながら、これをジャッキアップすることで切断時に切断器具に加えられる押圧力を緩和させる手段も、必要に応じて当然に考慮されるところである。
【００２６】
図８は、既設柱１の下端部とスラブとの間に免震装置を設置する実施の形態を示している。
本実施の形態でも、図８（ａ）に見られるように、図７（ａ）の実施の形態と同様に免震装置２５の設置が完了すると、4本の上部荷重支持支柱６を切断して撤去しており、上部荷重の全てを軸力の盛り替えによって免震装置２５に移行させている。
【００２７】
しかし、本実施の形態の場合には、上部荷重支持支柱６から既設柱に設置された免震装置に上部荷重の全てを確実、かつ容易に盛り替えることができる。
即ち、上部荷重支持支柱６の下部は、増打コンクリート１８の下方からスラブとの間に介在させたフラットジャッキと共に外部に露出したままになっている。従って、フラットジャッキの操作が自由であることからこれをジャッキダウンさせることで上部荷重支持支柱６から上部荷重を簡単に除去できるからである。
【００２８】
図８（ｂ）は、図８の（Ａ）―（Ａ）矢視による平断面図である。
図示のように、既設柱に免震装置を設置する作業を完了させた後は、スラブ上に免震装置２５を配置した架台２０のコンクリート２３が配置されているのみであるから、増打コンクリート１８の外部に鋼管や鉄筋の露出部分がないことから、耐火処理は免震装置のみに耐火被覆材を取り付けるだけの施工で充分になっており、コスト低減と施工効率の向上を達成している。
【００２９】
図９、１０は、従来のジャッキレス工法では施工が困難であった出隅部の柱と壁に連なる柱に対する本発明の適用例を実施の形態として示している。
図９は、出隅部の柱に適用した実施の形態であり、既設の出隅部の柱３０に免震装置３１を設置して既存建物の免震化を図っている。上部荷重支持支柱３２は、出隅部の柱３０に取り付いている梁３３とこれに対応する地中梁との間に設置されており、増打コンクリート３４は既設の出隅部の柱３０と上部荷重支持支柱３２とを取り囲んだ状態で配筋され、コンクリートを打設している。
従って、出隅部の柱に対する本発明による既存建物の免震化工法の適用は、その施工が殆ど通常の現場作業と同等であって、何らの特殊な部材や特別の作業を伴っていないことから、コストや工期の面においても優れている。
【００３０】
図１０は、外壁に連なる柱に適用した実施の形態であり、既設の柱４０に免震装置４１を設置して既存建物の免震化を図っている。上部荷重支持支柱４２は、既設柱４０に取り付いている梁４３等とこれに対応する地中梁との間に設置されており、増打コンクリート４４は既設柱４０と上部荷重支持支柱４２とを取り囲んだ状態で配筋し、コンクリートが打設されている。
従って、既存建物の壁、特に外壁に連なる柱への本発明による免震化工法の適用は、上記実施の形態と同様にコストや工期の面において優れている。
【００３１】
以上のように、本発明による既存建物の免震化工法は、上部荷重を一時的に仮受けする上部荷重支持支柱を、増打コンクリートのせん断補強筋で一体に補強してから上部荷重を受けさせると共に、免震装置を設置する部分のみを露出させて他の大部分は増打コンクリート内に埋設させているから、その軸径を小さく抑えても座屈を防止できることになり、その重量を軽くして施工時の取り扱いを容易にしている。又、免震構造化を完成した後においても上部荷重支持支柱の切断個所を小さくできると共に耐火処置を免震装置のみにしてコストの低減を図っている。
【００３２】
以上、本発明を実施の形態に基づいて詳細に説明してきたが、本発明による既存建物の免震化工法は、上記実施の形態に何ら限定されるものでなく、その適用範囲、上部荷重支持支柱の具体的な構造や種類及び上部荷重の盛り替え手段等に関して、本発明の趣旨を逸脱しない範囲において種々の変更が可能であることは当然のことである。
【００３３】
【発明の効果】
本発明による既存建物の免震化工法は、既設柱を切断して免震装置を設置するに際して、上部荷重を一時的に仮受けする上部荷重支持支柱を、既設柱の増打コンクリートのせん断補強筋で一体に補強してコンクリートを打設すると共に、上部荷重支持支柱は、免震装置を設置する部分以外の大部分を増打コンクリート内に埋設させているので、上部荷重を盛り替えしても上部荷重支持支柱に座屈の心配が無くなって、以下の効果を発揮している。
▲１▼  上部荷重支持支柱が、軸径もしくは鋼板厚の小さく薄いものになって軽量化が可能になり、運搬及び組み立てに人手だけで容易に対応できる。
▲２▼  上部荷重支持支柱が、簡素な構造になって製造コストの低減を図れる。
▲３▼  角柱や外壁等の壁に連なる柱の場合にも容易に施工できる。
▲４▼  鋼板の合わせ目溶接等が無くなって施工効率の向上を図れる。
▲５▼  免震装置取り付け後の切除部分が少量であり、コスト低減になる。
▲６▼  耐火被覆は、免震装置だけになって施工コストの削減になる。
【図面の簡単な説明】
【  図１】本発明による既存建物の免震化工法における準備工程図
【  図２】本発明による既存建物の免震化工法における上部荷重支持支柱の配置図
【  図３】上部荷重支持支柱への増打コンクリートの施工工程図
【  図４】免震装置を設置するために既設柱の一部を撤去する工程図
【  図５】免震装置の架台施工図
【  図６】増打コンクリートで補強された既設柱への免震装置の設定図
【  図７】免震装置を既設柱の中間部に設置する場合における上部荷重の盛り替え工程図
【  図８】図７の（Ａ）−（Ａ）矢視図と他の実施の形態図
【  図９】本発明を角柱に適用した実施の形態図
【  図１０】本発明を壁に連なる柱に適用した実施の形態図
【  図１１】従来の免震構造化工法における柱巻き補強鋼板の取り付け図
【  図１２】従来の免震構造化工法における免震装置を設置するための鋼板切取図
【  図１３】従来の免震構造化工法におけるモルタル注入図
【  図１４】従来の免震構造化工法における免震装置の設置完了図
【符号の説明】
１  既設柱、  ２、３  コア抜き、  ４  スラブ、  ５  フラットジャッキ、
６  上部荷重支持支柱、  ８  梁、  １２  フープ筋、
１３  割フープ、  ２２  型枠、  １６  上部架台のアンカー、
１７  下部ベースプレート、  １８、１８’  増打コンクリート、
２０  架台、  ２１  配筋、  ２２  型枠、  ２３  架台のコンクリート、
２４  上部ベースプレート、  ２５  免震装置、  ２６  上部架台、
２７  配筋、  ２８  無収縮モルタル、
３０  出隅部の柱、  ３１、４１  免震装置、
３２、４２  上部荷重支持支柱、  ３３、４３  梁、
３４、４４  増打コンクリート、  ４０  壁に連なる柱、
５１  既設柱、  ５２、５３  アンカージベル、  ５４  スタッドジベル、
５６  柱巻き補強鋼板、  ５８  免震装置、  ６０  免震装置付き既設柱、
【図１】
0004024449.tif 000002
【図２】
0004024449.tif 000003
【図３】
0004024449.tif 000004
【図４】
0004024449.tif 000005
【図５】
0004024449.tif 000006
【図６】
0004024449.tif 000007
【図７】
0004024449.tif 000008
【図８】
0004024449.tif 000009
【図９】
0004024449.tif 000010
【図１０】
0004024449.tif 000011
【図１１】
0004024449.tif 000012
【図１２】
0004024449.tif 000013
【図１３】
0004024449.tif 000014
【図１４】
0004024449.tif 000015